(57)【要約】【課題】簡単な構成で、所定地点の単位時間当りの空間放射線量を基準値とし、その基準値と他の地点の単位時間当りの空間放射線量との比較値を、簡単な操作で表示可能な放射線計測器を提供する【解決手段】放射線計測器１は、放射線センサ２、増幅器３、比較器４、及び、分別電圧器５を備える放射線検出部と、表示部８と、放射線検出部からの信号を基にサンプリング時間毎の平均計測値を算出するとともに平均計測値に応じてサンプリング時間よりも長い規定時間当りの放射線量を算出し、それを表示部８に表示させる処理を行う制御部９と、操作部６とを有し、制御部９は、操作部６による操作を検出した場合、そのときの規定時間当りの放射線量を基準値として記憶部７に記憶し、操作部６による操作検出後に放射線検出部で出力された信号を基に算出された規定時間当りの放射線量と記憶部７に記憶された基準値との比較値を表示部８に表示させる処理を行う。【選択図】図１
2013101006.tif 000002
【特許請求の範囲】
【請求項１】
入射する放射線に応じたパルス信号を出力する放射線検出部と、表示部と、前記パルス信号に基いてサンプリング時間毎の平均計測値を算出するとともに前記平均計測値に応じて前記サンプリング時間より長い規定時間当りの放射線量を算出し、前記表示部に前記規定時間当りの放射線量を表示させる処理を行う制御部と、を有する放射線計測器であって、
操作に応じた信号を出力する操作部を有し、
前記制御部は、前記操作部による操作を検出した場合、そのときの規定時間当りの放射線量を基準値として記憶部に記憶し、前記操作部による前記操作の検出後に前記放射線検出部から出力された信号を基に算出された規定時間当りの放射線量と前記記憶部に記憶された基準値との比較値を、前記表示部に表示させる処理を行うことを特徴とする放射線計測器。
【請求項２】
前記規定時間当りの放射線量を表示する第１の表示モードと、前記比較値を表示する第２の表示モードと、を有し、
前記制御部は、前記操作部による前記第１の表示モードから前記第２の表示モードへの設定操作を検出し、且つ、電源オン後、前記放射線検出部による測定開始からの経過時間が、前記第２の表示モードへの移行待機時間よりも長いことを条件に、そのときの規定時間当りの放射線量を基準値として記憶部に記憶し、前記第２の表示モードに設定する処理を行うことを特徴とする請求項１に記載の放射線計測器。
【請求項３】
前記制御部は、前記表示部に、前記比較値を表示するとともに前記規定時間当りの放射線量に応じたレベルバー表示を行い、且つ、前記比較値の更新時間よりも短い時間で、前記レベルバー表示の更新処理を行うことを特徴とする請求項１または請求項２に記載の放射線計測器。
【請求項４】
前記操作部は、押下操作による移動および揺動操作による移動が可能な可動操作部材を有し、
前記制御部は、前記可動操作部材の押下操作による移動を検出した場合に、電源オン状態と電源オフ状態とを切り替える処理を行い、
前記第１の表示モード時に、前記可動操作部材の第１の方向への操作を検出したとき、そのときの前記規定時間当りの放射線量を基準値として前記記憶部に記憶して、前記第２の表示モードに設定し、
前記第２の表示モード時に、前記可動操作部材の第１の方向への操作を検出したとき、そのときの前記規定時間当りの放射線量を基準値として前記記憶部に記憶し、
前記第２の表示モード時に、前記第１の方向とは異なる第２の方向への前記可動操作部材の操作を検出したとき、前記第１の表示モードに設定する処理を行うことを特徴とする請求項２から請求項３のいずれかに記載の放射線計測器。
【請求項５】
前記制御部は、前記第１の表示モード時に、前記可動操作部材の前記第２の方向への操作を検出したとき、１時間当たりの放射線量表示と、年間放射線量表示とを切り替える処理を行うことを特徴とする請求項４に記載の放射線計測器。
【請求項６】
前記制御部は、前記第２の表示モードの場合、前記第２の表示モードを示すマークを前記比較値の近傍に表示させる処理を行い、前記第１の表示モードの場合、前記第２の表示モードを示す前記マークの表示を行わないことを特徴とする請求項２から請求項５のいずれかに記載の放射線計測器。
【発明の詳細な説明】
【技術分野】
【０００１】
本発明は、放射線計測器に関するものである。
【背景技術】
【０００２】
東日本大震災がもたらした甚大な被害は、被災地の災害にのみらず原子力発電所の大事故発生という未曾有の事態に発展した。この事故により周辺各地及び各県に放射性物質が飛散する結果となった。この飛散した放射性物質は時としてまったく予想出来ない所にホットスポットと呼ばれる高放射線域を作ってしまった。各自治体や多くの人々が高放射線域の特定作業を行っているが、高放射線域の特定には比較的長い時間を要する。この高放射線域の特定を遅らせている原因としては、計測対象の領域が広い、計測によるデータ収集に比較的長い時間を要する、飛散した放射性物質の性質として気候の変動により高放射線域が移動する等を挙げることができる。
【０００３】
空間放射線量を計測する放射線測定装置として、各種装置が提案されている。特許文献１には、放射線計測器と、アンプ回路と、コンパレータ回路と、パルス信号を計数して放射線計測値を放射線単位に変換するＣＰＵとを備え、放射線のエネルギー状態に応じて、飽和現象を補正する手段を備えた放射線測定装置が記載されている。
【先行技術文献】
【特許文献】
【０００４】
【特許文献１】特開２００５−２４９５８０号公報
【発明の概要】
【発明が解決しようとする課題】
【０００５】
しかしながら、特許文献１に記載の放射線測定装置などを用いて空間放射線量を計測して高放射線域を探索する場合、自然放射線と人口放射線とを同時に計測し、計測者が各測定地点での計測値を記入しながら、高放射線域を探索するという煩雑な作業を行うことを要する。また、計測値の記録機能を有する計測器は、複雑な構造で高価であるという問題がある。
特に高い空間放射線量が検出される領域で長時間計測を行うと、計測者の吸収線量が大きくなる場合がある。このため、短時間で高放射線域を特定可能な放射線計測器が望まれている。
【０００６】
本発明は、上記問題に鑑み、所定地点の単位時間当りの空間放射線量を基準値とし、その基準値と他の地点の単位時間当りの空間放射線量との比較値を、簡単な操作で表示可能な放射線計測器を提供することを目的とする。また、簡単な操作で高い空間放射線量の地点を短時間で探索可能な放射線計測器を提供することを目的とする。
【課題を解決するための手段】
【０００７】
本発明の放射線計測器は、入射する放射線に応じたパルス信号を出力する放射線検出部と、表示部と、前記パルス信号に基いてサンプリング時間毎の平均計測値を算出するとともに前記平均計測値に応じて前記サンプリング時間より長い規定時間当りの放射線量を算出し、前記表示部に前記規定時間当りの放射線量を表示させる処理を行う制御部と、を有する放射線計測器であって、操作に応じた信号を出力する操作部を有し、前記制御部は、前記操作部による操作を検出した場合、そのときの規定時間当りの放射線量を基準値として記憶部に記憶し、前記操作部による前記操作の検出後に前記放射線検出部から出力された信号を基に算出された規定時間当りの放射線量と前記記憶部に記憶された基準値との比較値を、前記表示部に表示させる処理を行うことを特徴とする。
【発明の効果】
【０００８】
本発明によれば、所定地点の単位時間当りの空間放射線量を基準値とし、その基準値と他の地点の単位時間当りの空間放射線量との比較値を、簡単な操作で表示可能な放射線計測器を提供することができる。また、簡単な操作で高い空間放射線量の地点を短時間で探索可能な放射線計測器を提供することができる。
【図面の簡単な説明】
【０００９】
【図１】本発明の実施形態に係る放射線計測器の機能ブロック図である。
【図２】本発明の実施形態に係る放射線計測器の外観図であり、（ａ）は正面図、（ｂ）は背面図である。
【図３】本発明の実施形態に係る放射線計測器の制御部による機能ブロック図である。
【図４】本発明の実施形態に係る放射線計測器の表示部による表示の一例を示す図であり、（ａ）は１時間当りの放射線量（線量当量率）の表示の一例、（ｂ）は１年間当りの線量当量率の表示の一例、（ｃ）は基準値比較表示モード設定時の表示の一例、（ｄ）は基準値比較表示モード時の比較値表示の一例を示す図である。
【図５】本発明の実施形態に係る放射線計測器の動作の一例を示すフローチャートである。
【発明を実施するための形態】
【００１０】
図１は、本発明の実施形態に係る放射線計測器１の機能ブロック図である。図２は放射線計測器１の外観図であり、詳細には図２（ａ）は放射線計測器１の正面図、図２（ｂ）は放射線計測器１の背面図である。
【００１１】
本発明の実施形態に係る放射線計測器１は、通常表示モード（第１の表示モード）と基準値比較表示モード（第２の表示モード）とを有する。放射線計測器１は、通常表示モードに設定された場合、空間放射線量を計測して、単位時間当りの放射線量（線量当量率：単位μＳｖ／ｈ）を表示し、操作部が操作されて基準値比較表示モードに設定された場合、その計測時、計測場所で計測された単位時間当りの放射線量を基準値として記憶し、操作部による操作後に検出された現在の単位時間当りの放射線量と基準値との比較値を表示する。
【００１２】
本実施形態に係る放射線計測器１は、図１に示したように、放射線センサ２と、増幅器３と、比較器４と、分別電圧器５と、操作部６と、記憶部７と、表示部８と、制御部９と、を有する。また、放射線計測器１は、時間の計時を行う計時部（不図示）を有する。放射線計測器１の各構成要素は、電池等の電源（不図示）から供給される電力により動作するように構成されている。この放射線センサ２、増幅器３、比較器４、及び、分別電圧器５は、放射線検出部の一実施形態に相当する。次に、放射線計測器１の各構成要素について説明する。
【００１３】
放射線センサ２は、入射した放射線に応じた信号を出力する。放射線センサ２としては、シンチレーション検出器、ガイガー＝ミュラー計数管、半導体検出器等を採用することができる。本実施形態に係る放射線センサ２として、γ線を検出可能なシンチレーション検出器を採用する。シンチレーション検出器は、放射線が入射すると発光するシンチレータと、シンチレータからの光を検出する受光素子等の光検出部と、を有する。シンチレータとしては、ＮａＩ（Ｔｌ）シンチレータ、Ｃｓ（Ｔｌ）シンチレータ、ＬａＢｒ3、ＣｄＴｅ（ＣｄＺｎＴｅ）シンチレータなどを挙げることができる。光検出部は、検出された光の大きさに応じた振幅の信号を出力する。
【００１４】
増幅器３は、放射線センサ２から出力される信号の振幅を増幅し、比較器４に出力する。
【００１５】
比較器４は、分別電圧器５により規定されたノイズカット用の閾値電圧と、増幅器３から出力される信号の電圧とを比較し、閾値電圧より低い場合にローレベル、閾値電圧以上の場合にハイレベルとなるパルス信号としてのデジタル信号を出力する。本実施形態では、放射線検出部としての放射線センサ２、増幅器３、比較器４、及び、分別電圧器５は、入射する放射線に応じたパルス信号を制御部９に出力するように構成されている。
【００１６】
操作部６は、ユーザにより操作されるスイッチであり、その操作に応じた信号を制御部９に出力する。詳細には、操作部６は、放射線計測器１の表示モードである通常表示モードや基準値比較表示モードを切替えるとき、電源オン状態または電源オフ状態に設定するとき、１時間当りの放射線量（μＳｖ／ｈ）表示と年間放射線量（ｍＳｖ／ｙ）表示とを切り替えるとき、などにユーザにより操作され、その操作に応じた信号を制御部９に出力する。
【００１７】
本実施形態では、図２（ａ）、図２（ｂ）に示したように、操作部６として複合操作スイッチを採用している。詳細には、操作部６は、可動接点部を備えた可動操作部材６ａを有し、可動操作部材６ａが図２（ａ）、図２（ｂ）に示す左右方向への揺動操作による移動、上下方向への押下操作による移動に伴って、筐体１０に固定された複数の固定接点（不図示）のうち少なくとも一つに、上記可動接点部が電気的に接触するように構成されている。固定接点は制御部９に電気的に接続されており、可動操作部材６ａの操作による移動を制御部９が検出可能に構成されている。このように、複合操作スイッチは、複数のスイッチを兼ね備えた構造を有する。
【００１８】
制御部９は、図２（ａ）、図２（ｂ）に示したように、可動操作部材６ａが下方向（矢印Ａ）に押下操作により移動したことを検出すると、電源オン状態または電源オフ状態に設定する。
【００１９】
制御部９は、通常表示モード時、可動操作部材６ａが図２（ａ）に示した左方向（矢印Ｂ）に揺動操作により移動したことを検出すると、基準値比較表示モードに設定する処理を行う。
【００２０】
制御部９は、通常表示モード時、可動操作部材６ａが図２（ａ）に示した右方向（矢印Ｃ）に揺動操作により移動したことを検出すると、１時間当りの放射線量（μＳｖ／ｈ）表示と年間放射線量（ｍＳｖ／ｙ）表示とを切替える処理を行う。
【００２１】
また、制御部９は、基準値比較表示モード時、可動操作部材６ａが図２（ａ）に示した右方向（矢印Ｃ）に揺動操作移動されると、通常表示モードに設定する処理を行う。
【００２２】
記憶部７は、ＲＡＭ、ＥＥＰＲＯＭ、可搬型メモリなどの記憶装置で構成されており、制御部９の作業用メモリとして用いられる。詳細には、記憶部７は、プログラム７０を記憶し、さらに、１時間当りの放射線量（線量当量率）７１、年間放射線量７２、瞬間放射線量７３、基準値７４、及び、比較値７５等のデータを記憶する。制御部９は上記各種データを記憶部７に書き込み、記憶部７から必要に応じて各種データを読み出して所定処理を行う。上記プログラム７０は、制御部９により実行され、本発明に係る機能をコンピュータとしての放射線計測器１に実現させる。
【００２３】
表示部８は、制御部９により表示制御が行われ、本発明に係る各種データなどの表示を行う。表示部８の詳細な動作については後述する。
【００２４】
制御部９は、放射線計測器１の各種構成要素を統括的に制御する。また、制御部９は、記憶部７に記憶されたプログラム７０を実行することにより、本発明に係る機能をコンピュータとしての放射線計測器１に実現させる。
【００２５】
制御部９は、放射線検出部の比較器４から出力されたパルス信号としてのデジタル信号を受信すると、規定時間毎、例えば６０秒のサンプリング時間で、信号のハイレベルをカウントし、その移動平均値を算出する。
【００２６】
制御部９は、操作部６からの信号を基に基準値比較表示モードを選択する操作を検出したとき、そのときの平均計測値に応じて算出されたサンプリング時間より長い規定時間当りの放射線量を基準値として記憶部７に記憶し、操作部６による操作の検出後に放射線検出部から出力された信号を基に算出された規定時間当りの放射線量と記憶部７に記憶された基準値との比較値を、表示部８に表示させる処理を行う。制御部９の詳細な動作については後述する。
【００２７】
図２（ａ）に示したように、本発明の実施形態に係る放射線計測器１は、比較的小型の筐体１０を有し、携帯型の放射線計測器としても用いられる。この筐体１０の略中央部には表示部８が設けられている。表示部８には、電池残量表示部８１、比較値表示部８２、基準値比較表示モード表示部８３、及び、瞬間値放射線強度表示部８４などが、制御部９の制御により必要に応じて表示される。
【００２８】
電池残量表示部８１は、筐体１０内に収容されている電池の残量を示す。比較値表示部８２は、比較値を所定単位（μＳｖ／ｈ）で示す。比較値が基準値よりも低い場合、比較値表示部８２には、−（マイナス）符号付きで比較値が表示される。基準値比較表示モード表示部８３には、（−ＢＧ）などの基準値比較表示モードを示す所定のマークが、基準値比較表示モード時に表示される。瞬間値放射線強度表示部８４には、瞬間放射線量７３の大きさに応じたレベルバー表示で、瞬間放射線量が表示される。本実施形態の放射線計測器１では、１個のバーが０．０２μＳｖ／ｈを示し、１ブロックが５個のバーにより構成され、１ブロックが０．１μＳｖ／ｈであり、最大１．６μＳｖ／ｈまで表示部８に表示可能となるように構成されている。
【００２９】
図２（ａ）に示したように、放射線計測器１は、筐体１０の上端に操作部６が設けられている。詳細には、操作部６の可動操作部材６ａが筐体１０の上端部よりも突出するように配置され、可動操作部材６ａの突起部が、左右方向（図２（ａ）に示す矢印Ｂ、矢印Ｃ）に揺動操作により移動自在、且つ、上下方向（図２（ａ）に示す矢印Ａ）に押下操作により移動自在に構成されている。
【００３０】
筐体１０の図２（ａ）に示した左側端部付近には、ストラップなどの保持部材を取り付けるための取付孔１０ａが形成され、筐体１０内の右側端部付近には、放射線センサ２が設けられている。
【００３１】
図２（ｂ）に示したように、筐体１０の背面には、放射線センサ２の配置位置の近傍に、放射線の検出方向を示すマーク１０ｂが設けられている。また、筐体１０の背面には、操作部６の配置位置近傍に、操作部６の操作説明を示すマーク１０ｃなどが設けられている。
【００３２】
図３は、本発明の実施形態に係る放射線計測器１の制御部９による機能ブロック図である。制御部９は、図３に示すように、単位時間当り放射線量処理部９１、年間放射線量処理部９２、瞬間放射線量処理部９３、基準値処理部９４、比較値処理部９５、計測上限値超処理部９６、及び、自動電源オフ処理部９７などの機能を有する。
【００３３】
単位時間当り放射線量処理部９１は、比較器４から出力されたパルス信号としてのデジタル信号に基いて、６０秒などのサンプリング時間で、信号のハイレベルの個数をカウントし、その移動平均値に検出核種に応じた係数を乗算する演算などを行い、表示用に、１時間当りの放射線量（線量当量率、μＳｖ／ｈ）を算出する。また、単位時間当り放射線量処理部９１は、算出した１時間当りの線量当量率（μＳｖ／ｈ）を表示部８に表示させる処理を行う。また、単位時間当り放射線量処理部９１は、１０秒などの規定時間で、１時間当りの線量当量率（μＳｖ／ｈ）を更新し、更新した値を表示部８に表示させる処理を行う。
【００３４】
年間放射線量処理部９２は、１時間当りの線量当量率（μＳｖ／ｈ）に基いて演算により年間放射線量（ｍＳｖ／ｙ）を算出する。詳細には、年間放射線量処理部９２は、単位時間当り放射線量処理部９１で算出された１時間当りの線量当量率（μＳｖ／ｈ）に所定係数、具体的には２４（時間）×３６５（日）を乗算することで、予測される年間線量当量率を算出する。また、年間放射線量処理部９２は、算出した年間線量当量率（ｍＳｖ／ｙ）を表示部８に表示させる処理を行う。
【００３５】
瞬間放射線量処理部９３は、例えば１０秒等の短時間のサンプリング時間で、比較器４からのデジタル信号のハイレベルの個数の移動平均値を演算することで、瞬間放射線強度を算出し、瞬間放射線強度に応じたレベルバー表示を表示部８に表示させる処理を行う。この際、制御部９は、後述する比較値の更新時間よりも短い時間で、レベルバー表示の更新処理を行う。
【００３６】
基準値処理部９４は、操作部６からの信号に基いて、操作部６により基準値比較表示モードを設定する操作を検出したとき、そのときの平均計測値に応じた１時間当りの放射線量（線量当量率）を基準値７４として記憶部７に記憶する処理を行う。
また、基準値処理部９４は、操作部６により基準値比較表示モードを設定する操作を検出したとき、電源オン後、放射線検出部による計測開始からの経過時間が、第１の表示モード（通常表示モード）から第２の表示モード（基準値比較表示モード）への移行待機時間（例えば３分）よりも長いことを条件に、そのときの１時間当りの放射線量（線量当量率）を基準値７４として記憶部７に記憶する処理を行ってもよい。こうすることで、電源オン後、計測開始初期のばらつきの大きい基準値を取り除くことができ、高い信頼性の基準値７４を採用することができる。
【００３７】
比較値処理部９５は、基準値比較表示モード時、操作部６による操作の検出後に放射線検出部から出力された信号を基に算出された現在の規定時間当りの放射線量と記憶部７に記憶された基準値との比較値を、表示部８に表示させる処理を行う。
【００３８】
計測上限値超処理部９６は、計測により１時間当りの線量当量率が計測上限値、例えば２０．００μＳｖ／ｈを超えた場合、表示部８に、２０．００μＳｖ／ｈなどを点滅表示させる処理を行う。このように放射線計測器１は、表示部８に所定文字やマークを点滅表示させることで、計測により１時間当りの線量当量率が計測上限値よりも超えていることを、ユーザに報知することができる。
【００３９】
自動電源オフ処理部９７は、電源オン状態開始時から１時間後など所定時間経過後に、自動的に電源オフ状態とする処理を行う。
【００４０】
次に、本発明の実施形態に係る放射線計測器１の動作の一例を説明する。
【００４１】
図１に示したように、放射線が放射線センサ２に入射すると、放射線センサ２から微弱な電気信号が出力される。詳細には、放射線が放射線センサ２のシンチレータに入射すると、シンチレーション現象により発光し、光検出部でその光を検出して電気信号として出力する。増幅器３は放射線センサ２から出力された微弱な信号を充分に増幅し、比較器４に出力する。比較器４は、分別電圧器５により規定された閾値電圧と、増幅器３から出力された信号の電圧とを比較し、閾値電圧より低い場合にローレベル、閾値電圧以上の場合にハイレベルとなるデジタル信号を制御部９に出力する。
【００４２】
制御部９は、比較器４からのデジタル信号に基いて、例えば規定のサンプリング時間でハイレベルの個数の移動平均値を算出し、その移動平均値に検出核種の係数を乗算するなどの演算を行い、表示部８に１時間当りの放射線量（μＳｖ／ｈ）を表示する処理を行う。
【００４３】
また、制御部９は、操作部６からの信号を基に、操作部６による操作を検出したとき、そのときの平均計測値に応じて算出された１時間当りの放射線量（μＳｖ／ｈ）を基準値７４として記憶部７に記憶し、現在の放射線計測部による計測に応じた規定時間毎の平均測定値と記憶部７に記憶された基準値７４との比較値７５を、表示部８に表示させる処理を行う。
【００４４】
ユーザは、放射線計測器１を用いて第１の地点で計測し、操作部６を操作することにより、その時点の１時間当りの放射線量７１を基準値７４として記憶部７に記憶させる。そして、第１の地点と異なる第２の地点で計測を行うと、第１の地点の１時間当りの放射線量７１を基準値とした比較値７５が表示部８に表示されるので、第１の地点と第２の地点での１時間当りの放射線量を簡単に比較することができる。基準値比較表示モードで放射線計測器１を用いて、異なる地点で繰り返し放射線計測を行うことで、高放射線域を比較的短時間に探索特定することができる。
【００４５】
次に、本発明の実施形態に係る放射線計測器１の動作の他の例を、図面を参照しながら説明する。
【００４６】
図４は、本発明の実施形態に係る放射線計測器の表示部による表示の一例を示す図であり、図４（ａ）は１時間当りの放射線量（線量当量率）の表示の一例、図４（ｂ）は１年間当りの線量当量率の表示の一例、図４（ｃ）は基準値比較表示モード設定時の表示の一例、図４（ｄ）は基準値比較表示モード時の比較値表示の一例を示す図である。図５は本発明の実施形態に係る放射線計測器の動作の一例を示すフローチャートである。
【００４７】
ステップＳ１０において、制御部９は、電源スイッチが操作されたか否かを判別する。詳細には、制御部９は、操作部６からの信号に基いて、図２（ａ）、図２（ｂ）に示したように、操作部６の可動操作部材６ａが下方向（矢印Ａ）に押下操作により移動したことを検出すると、電源オン状態に設定する。
【００４８】
ステップＳ１１において、制御部９は、初期表示画面の表示処理などの初期処理を行う。詳細には、制御部９は、初期処理として、放射線センサ２、増幅器３、比較器４、分別電圧器５、制御部９などの回路の動作の安定化、１時間当りの放射線量（線量当量率：単位μＳｖ／ｈ）を算出するために必要な放射線計測時間の確保などのため、電源オン状態開始時から所定時間（例えば３５秒）だけ、操作部６からの操作指示に応じた動作を抑止するとともに、表示部８に３５秒から毎秒カウントダウン表示を行う。
【００４９】
ステップＳ１２において、制御部９は、３５秒など所定時間経過したか否かを判別し、所定時間経過していない場合にステップＳ１１の処理に進み、所定時間経過している場合にステップＳ１３の処理に進む。
【００５０】
ステップＳ１３において、制御部９は、表示部８に１時間当りの放射線量を表示する処理を行う。詳細には、制御部９は、放射線センサ２、増幅器３、比較器４、分別電圧器５などの放射線検出部から出力されたパルス信号としてのデジタル信号を基に、規定のサンプリング時間でハイレベルの個数の移動平均値を算出し、その移動平均値に検出核種の係数を乗算するなどの演算を行い、１時間当りの放射線量７１（線量当量率）を表示部８に表示する処理を行う。図４（ａ）に示したように、制御部９は、表示部８の画面右上付近の電池残量表示部８１に電池残量を示す画像を表示し、画面中央部の放射線量表示部８５に１時間当りの線量当量率（μＳｖ／ｈ）を表示し、画面下端部付近の瞬間値放射線強度表示部８４に、瞬間放射線量を表示する処理を行う。
【００５１】
ステップＳ１４において、制御部９は、年／時の表示切替を示す操作が行われた否かを判別する。詳細には、制御部９は、通常表示モード時に、操作部６の可動操作部材６ａが、図２（ａ）に示した右方向（矢印Ｃ）に揺動操作により移動したことを検出したか否かを判別し、それを検出した場合にステップＳ１５の処理に進み、検出しない場合にステップＳ１７の処理に進む。
【００５２】
ステップＳ１５において、制御部９は、年間放射線量を表示する処理を行う。詳細には、制御部９は、１時間当りの線量当量率（μＳｖ／ｈ）を基に演算により、予測される年間放射線量（年間線量当量率、ｍＳｖ／ｙ）を算出し、それを表示部８に表示させる処理を行う。図４（ｂ）に示すように、制御部９は、表示部８の画面中央部の年間放射線量表示部８６に、年間線量当量率（ｍＳｖ／ｙ）を表示する処理を行う。
【００５３】
ステップＳ１６において、制御部９は、操作部６からの信号に基いて、年／時の表示切替を示す操作が行われた否かを判別し、それを検出した場合にステップＳ１３の処理に進み、検出しない場合にステップＳ１５の処理に進む。
【００５４】
ステップＳ１７において、制御部９は、電源スイッチが操作されたか否かを判別する。詳細には、制御部９は、操作部６からの信号に基いて、図２（ａ）、図２（ｂ）に示したように、操作部６の可動操作部材６ａが下方向（矢印Ａ）に押下操作により移動したか否かを判別し、操作部６の可動操作部材６ａが下方向（矢印Ａ）への移動を検出しない場合にステップＳ１９の処理に進み、可動操作部材６ａが下方向（矢印Ａ）へ移動したことを検出した場合に所定の終了処理（ステップＳ１８）を行い、一連の処理を終了する。
【００５５】
ステップＳ１９において、制御部９は、操作部６により基準値比較モードへの切替え操作を検出したか否かを判別する。詳細には、制御部９は、操作部６からの信号を基に、可動操作部材６ａが図２（ａ）に示した左方向（矢印Ｂ）に揺動操作による移動を検出したか否かを判別し、検出していない場合にステップＳ１３の処理に進み、検出している場合に、ステップＳ２０の処理に進む。
【００５６】
ステップＳ２０において、制御部９は、電源オン後、計測開始からの経過時間が、基準値比較表示モードへの移行待機時間（例えば３分）より長いか否かを判別する。３分経過していない場合に、制御部９は、基準値比較表示モードに移行せずに、ステップＳ１３の処理に進む。３分経過していると判断した場合には、制御部９は、ステップＳ２１の処理に進む。
【００５７】
ステップＳ２１において、制御部９は、表示部８に表示している平均計測値である１時間当りの放射線量（線量当量率）を基準値７４として記憶部７に記憶する処理を行う。上述したように、制御部９が、操作部６により基準値比較表示モードを設定する操作を検出したとき、電源オン後、計測開始から３分など所定時間が経過したことを条件として基準値比較表示モードに移行するように処理を行うことで、高い信頼性の基準値７４を採用することができる。
【００５８】
ステップＳ２２において、制御部９は、基準値比較表示モード時、記憶部７に記憶された基準値７４と、現在の検出結果に応じた規定時間毎の放射線量との比較値を、表示部８に表示させる処理を行う。図４（ｃ）、図４（ｄ）に示したように、表示部８の画面中央部の比較値表示部８２に比較値（μＳｖ／ｈ）を表示させ、比較値に並べて基準値比較表示モード表示部８３に、基準値比較表示モードに設定されていることを示すマーク（−ＢＧ）を表示する処理を行う。
【００５９】
ステップＳ２３において、制御部９は、基準値比較表示モード時、図４（ｄ）に示したように、表示部８の下端に位置する瞬間値放射線強度表示部８４に瞬間放射線量を表示する処理を行う。
【００６０】
ステップＳ２４において、制御部９は、操作部６により基準値比較操作を検出したか否かを判別する。詳細には、制御部９は、可動操作部材６ａが図２（ａ）に示した左方向（矢印Ｂ）に揺動操作による移動を検出したか否かを判別し、それを検出した場合には、ステップＳ２１の処理に進み、再度、現在の１時間当りの放射線量（線量当量率）を基準値として記憶部７に記憶する処理を行い、それを検出していない場合には、ステップＳ２５の処理に進む。
【００６１】
ステップＳ２５において、制御部９は、操作部６により通常表示モード（放射線量表示モード）への切替え操作を検出したか否かを判別する。詳細には、制御部９は、操作部６からの信号を基に、可動操作部材６ａが図２（ａ）に示した右方向（矢印Ｃ）に揺動操作による移動を検出したか否かを判別し、検出していない場合にステップＳ２２の処理に進み、検出している場合にステップＳ１３の処理に進む。
【００６２】
尚、制御部９は、上述した一連の処理を実行中に、電源オン状態開始時から１時間後など所定時間経過したとき、自動的に電源オフ状態とする終了処理を行う。こうすることで、放射線計測器１の筐体内に収容されている電源としての電池の消費量を低減することができる。
【００６３】
また、制御部９は、上述した一連の処理を実行中に、計測により１時間当りの線量当量率が計測上限値、例えば２０．００μＳｖ／ｈを超えた場合、表示部８に、２０．００μＳｖ／ｈなどを点滅表示させる処理を行い、ユーザに計測上限値が超えていることを報知する。
【００６４】
以上、説明したように、本発明の実施形態に係る放射線計測器１は、小型の筐体１０に、放射線センサ２、増幅器３、比較器４、分別電圧器５、操作部６、記憶部７、表示部８、及び、制御部９等を有するので、簡単な構造で軽量の携帯型の放射線計測器１を提供することができる。
【００６５】
また、本発明の実施形態では、制御部９は、通常表示モードでは、放射線センサ２、増幅器３、比較器４等からのパルス信号としてのデジタル信号に基いて、サンプリング時間毎の平均計測値を算出するとともに平均計測値に応じた規定時間当りの放射線量（線量当量率）を算出し、表示部８に規定時間当りの放射線量を表示させる処理を行うので、簡単な構成で、単位時間当りの放射線量（線量当量率）を表示部８に表示可能な放射線計測器１を提供することができる。
【００６６】
また、本発明の実施形態では、操作に応じた信号を出力する操作部６を有し、制御部９は、操作部６からの信号に基いて、基準値比較表示モードへの移行を指示する操作を検出した場合、基準値比較表示モードに設定し、そのときの１時間当りの放射線量（１時間当りの線量当量率）を基準値７４として記憶部７に記憶し、操作部６により基準値比較表示モードの設定検出後、放射線検出部から出力された信号に応じて算出された１時間当りの放射線量と記憶部７に記憶された基準値との比較値を表示部８に表示させる処理を行う。
このため、所定地点の単位時間当りの空間放射線量（線量当量率）を基準値とし、その基準値と他の地点の単位時間当りの空間放射線量（線量当量率）との比較値を、簡単な操作で表示部８に表示可能な簡単な構成の放射線計測器１を提供することができる。つまり、現在の空間放射線量からバックグランド値を差し引いた値を簡単に表示可能な放射線計測器１を提供することができる。
【００６７】
また、簡単な操作により基準値を設定可能とし、基準値に対する比較値を表示して、高い空間放射線量の地点を短時間で探索可能な放射線計測器１提供することができる。
【００６８】
また、本発明の実施形態によれば、規定時間当りの放射線量を表示する第１の表示モードとしての通常表示モードと、比較値７５を表示する第２の表示モードとしての基準値比較表示モードとを有し、制御部９は、操作部６により通常表示モードから基準値比較表示モードへの設定操作を検出し、且つ、電源オン後、放射線検出部による測定開始からの経過時間が、第２の表示モードへの移行待機時間よりも長いことを条件に、そのときの規定時間当りの放射線量を基準値７４として記憶部７に記憶し、基準値比較表示モードに設定する処理を行い、測定開始から所定時間経過していない場合には、基準値比較表示モードに設定することを抑止するので、電源オン後、計測開始初期のばらつきの大きい基準値７４を取り除き、高い信頼性の基準値７４を採用することで、高精度の比較値を表示部８に表示することができる放射線計測器１を提供することができる。
【００６９】
また、本発明の実施形態によれば、制御部９は、表示部８に比較値７５を表示するとともに、サンプリング時間毎の規定時間当りの放射線量に応じたレベルバー表示を行い、且つ、比較値７５の更新時間よりも短い時間で、レベルバー表示の更新処理を行う。
つまり、表示部８で瞬間放射線量７３の大きさに応じたレベルバー表示を行うので、高放射線源を探索する際に、そのレベルバー表示を利用することで、短時間に高放射線源を特定することが可能な放射線計測器１を提供することができる。
【００７０】
また、本発明の実施形態によれば、操作部６は、押下操作による移動および揺動操作による移動が可能な可動操作部材６ａを有する。制御部９は、可動操作部材６ａの押下操作による移動を検出した場合に、電源オン状態と電源オフ状態とを切り替える処理を行い、通常表示モード（第１の表示モード）時に、可動操作部材６ａの第１の方向への揺動操作を検出したとき、そのときの規定時間当りの放射線量を基準値として記憶部７に記憶して、基準値比較表示モード（第２の表示モード）に設定し、基準値比較表示モード時に、可動操作部材６ａの第１の方向（図２（ａ）に示す矢印Ｃ）への揺動操作を検出したとき、そのときの規定時間当りの放射線量を基準値として記憶部７に記憶し、基準値比較表示モード時に、第１の方向とは異なる第２の方向（図２（ａ）に示す矢印Ｂ）への可動操作部材６ａの揺動操作を検出したとき、通常表示モード（第１の表示モード）に設定し、通常表示モード（第１の表示モード）時に、可動操作部材６ａの第２の方向への揺動操作を検出したとき、１時間当りの放射線量（μＳｖ／ｈ）表示と年間放射線量（ｍＳｖ／ｙ）表示とを切り替える処理を行う。
このように、操作部６に複合操作スイッチを採用し、揺動操作による移動や押圧操作による移動に応じて、上記処理を行うので、簡単な操作により各表示モードを切り替えることができると共に、基準値の再設定を容易に行うことができる放射線計測器１を提供することができる。
【００７１】
また、本発明の実施形態によれば、制御部９は、基準値比較表示モード（第２の表示モード）の場合、比較値７５の近傍に、基準値比較表示モード（第２の表示モード）を示すマーク（−ＢＧ）を表示部８に表示させる処理を行い、通常表示モード（第１の表示モード）の場合、第２の表示モードを示すマーク（−ＢＧ）の表示を行わない処理をするので、通常表示モードと、基準値比較表示モードと、容易に区別可能な表示を行うことができる放射線計測器１を提供することができる。
【００７２】
本発明に係る放射線計測器１は、上述した実施形態に限られるものではない。例えば、放射線計測器１は、記憶部７に一つの基準値を記憶していたが、複数の基準値を記憶するように構成されていてもよい。
【００７３】
また、例えば、計時部を備え、制御部９は、操作部６が操作されたときに、放射線検出部による信号に応じて算出された単位時間当たりの放射線量を基準値として記憶部７に記憶するとともに、計時部による時刻情報を基準値と関連付けて記憶部７に記憶し、基準値比較モードでは、表示部８に、時刻情報と基準値と上記比較値とを表示部８に表示させる処理を行うように放射線計測器が構成されていてもよい。この放射線計測器によれば、時刻情報、基準値、比較値とが表示部８に表示されるので、基準値を測定した時刻を容易に確認することができる。
【００７４】
また、放射線計測器１は、予め基準値として、国、地方自治体、所定団体などで定められている、安全性を示す空間放射線量基準値を基準値として記憶部７に記憶しておき、現在、放射線検出部による検出信号に応じた単位時間当たりの放射線量（線量当量率）と記憶部７に記憶された基準値との比較値を表示部８に表示してもよい。その際、制御部９は、操作部６を操作することにより、記憶部７に記憶されている複数の基準値のうち、いずれかの基準値を選択する処理を行ってもよい。
【００７５】
また、放射線計測器１は、基準値と比較値とを表示部８の同じ画面上で表示してもよい。こうすることで、ユーザは、表示部８の表示を見ることで、基準値と比較値とを容易に把握することができる。
【００７６】
また、本発明に係る放射線計測器１によれば、操作部６が操作されて基準値比較モードに設定された場合、そのときの自然放射線量を擬似的にゼロとすることで、次の測定地点で、基準値を設定した地点より放射線量が高いか、若しくは低いかを直感的に計測者が認識することができる。
【００７７】
また、本発明に係る放射線計測器１によれば、高放射性物質による高放射性源の迅速な位置特定を行うことが可能であり、地域住民の放射線による被爆、及び、計測者の被爆を減少し、迅速な非難や除染に取り込む事ができる。
【符号の説明】
【００７８】
１  放射線計測器
２  放射線センサ
３  増幅器
４  比較器
５  分別電圧器
６  操作部
６ａ  可動操作部材
７  記憶部
８  表示部
９  制御部
１０  筐体
１０ａ  取付孔
１０ｂ  マーク（検出方向指示表示部）
１０ｃ  マーク（操作説明表示部）
７０  プログラム
７１  １時間当りの放射線量（線量当量率）
７２  年間放射線量
７３  瞬間放射線量
７４  基準値
７５  比較値
８１  電池残量表示部
８２  比較値表示部
８３  比較モード表示部
８４  瞬間値放射線強度表示部
８５  放射線量表示部
８６  年間放射線量表示部
９１  単位時間当り放射線量処理部
９２  年間放射線量処理部
９３  瞬間放射線量処理部
９４  基準値処理部
９５  比較値処理部
９６  計測上限値超処理部
９７  自動電源オフ処理部
【図１】
2013101006.tif 000003
【図２】
2013101006.tif 000004
【図３】
2013101006.tif 000005
【図４】
2013101006.tif 000006
【図５】
2013101006.tif 000007